(57)【要約】【課題】構造が簡単で、部品数が少なく、組み立てが容易で低コストで製造が可能なカバン用キャスターのロック装置を提供することを目的とする。【解決手段】カバン底部への取付部材に対して回転自在に取り付けられ車軸を固定したフレームと、車軸の両端に回転自在に軸支され内周面にロックピン係合部を複数放射状に形成したキャスターと、フレームに形成したガイド部に沿って出没自在に配置されフレーム表面に露出するロックピン作動部材と、ガイド部に配置されロックピン作動部材をフレーム表面から突出する方向に付勢する復元性を有する弾性部材と、を備え、ロックピン作動部材を復元性を有する弾性部材の付勢力に抗して押し下げてロックピンをキャスター回転フリーの状態とし、ロックピン作動部材を復元性を有する弾性部材の付勢力により押し上げてロックピンをキャスター内周に形成したロックピン係合部と係合させキャスター回転ロック状態とすることを特徴とする。【選択図】  図１
2018113998.tif 000002
【特許請求の範囲】
【請求項１】
カバン底部への取付部材に対して回転自在に取り付けられ車軸を固定したフレームと、
車軸の両端に回転自在に軸支され内周面にロックピン係合部を複数放射状に形成したキャスターと、
フレームに形成したガイド部に沿って出没自在に配置されフレーム表面に露出するロックピン作動部材と、
ガイド部に配置されロックピン作動部材をフレーム表面から突出する方向に付勢する復元性を有する弾性部材と、
を備え、
ロックピン作動部材を復元性を有する弾性部材の付勢力に抗して押し下げてロックピンをキャスター回転フリーの状態とし、ロックピン作動部材を復元性を有する弾性部材の付勢力により押し上げてロックピンをキャスター内周に形成したロックピン係合部と係合させキャスター回転ロック状態とすることを特徴とするカバン用キャスターのロック装置。
【請求項２】
ロックピン作動部材の側面に配置される弾性部材により突出方向に付勢された係合突起と、
フレームのガイド部に形成されロックピン作動部材の係合突起と係合しロックピン作動部材をキャスター回転ロック位置に保持する第１係合凹部と、ロックピン作動部材の係合突起と係合しロックピン作動部材をキャスター回転フリー位置に保持する第２係合凹部と、を備えることを特徴とする請求項１に記載のカバン用キャスターのロック装置。
【請求項３】
ロックピン作動部材にキャスター回転ロック状態を示す色又は文字の表示を配置し、ロックピン作動部材が押し上げられキャスター回転ロック状態の時、前記表示が視認可能で、ロックピン作動部材が押し下げられキャスター回転フリー状態の時前記表示がフレーム内に押し下げられ視認不能にすることを特徴とする請求項１又は２に記載のカバン用キャスターのロック装置。
【発明の詳細な説明】
【技術分野】
【０００１】
本発明は、旅行カバン、スーツケース、トランク等のカバンの底部に取り付けられるカバン用キャスターのロック装置に関する。
【背景技術】
【０００２】
旅行カバン、スーツケース、トランク等のキャスター付きカバンの停止状態や保管状態の時、キャスターの回転をロックし移動不能にするカバン用キャスターのロック装置が提案されている。
【先行技術文献】
【特許文献】
【０００３】
【特許文献１】特開２０１４−２１７５８９号公報
【特許文献２】特開２０１２−１８３８４６号公報
【発明の概要】
【発明が解決しようとする課題】
【０００４】
しかしながら、従来のカバン用キャスターのロック装置は、構造が複雑であり、部品点数も多く組み立て工程に時間を要し、その結果コストが上昇するという問題を有する。
【０００５】
本発明は、従来技術のもつ課題を解決する、構造が簡単で、部品数が少なく、組み立てが容易で低コストで製造が可能なカバン用キャスターのロック装置を提供することを目的とする。
【課題を解決するための手段】
【０００６】
本発明のカバン用キャスターのロック装置は、前記課題を解決するために、カバン底部への取付部材に対して回転自在に取り付けられ車軸を固定したフレームと、車軸の両端に回転自在に軸支され内周面にロックピン係合部を複数放射状に形成したキャスターと、フレームに形成したガイド部に沿って出没自在に配置されフレーム表面に露出するロックピン作動部材と、ガイド部に配置されロックピン作動部材をフレーム表面から突出する方向に付勢する復元性を有する弾性部材と、を備え、ロックピン作動部材を復元性を有する弾性部材の付勢力に抗して押し下げてロックピンをキャスター回転フリーの状態とし、ロックピン作動部材を復元性を有する弾性部材の付勢力により押し上げてロックピンをキャスター内周に形成したロックピン係合部と係合させキャスター回転ロック状態とすることを特徴とする。
【０００７】
また、本発明のカバン用キャスターロック装置は、ロックピン作動部材の側面に配置される弾性部材により突出方向に付勢された係合突起と、フレームのガイド部に形成されロックピン作動部材の係合突起と係合しロックピン作動部材をキャスター回転ロック位置に保持する第１係合凹部と、ロックピン作動部材の係合突起と係合しロックピン作動部材をキャスター回転フリー位置に保持する第２係合凹部と、を備えることを特徴とする。
【０００８】
また、本発明のカバン用キャスターロック装置は、ロックピン作動部材にキャスター回転ロック状態を示す色又は文字の表示を配置し、ロックピン作動部材が押し上げられキャスター回転ロック状態の時、前記表示が視認可能で、ロックピン作動部材が押し下げられキャスター回転フリー状態の時前記表示がフレーム内に押し下げられ視認不能にすることを特徴とする。
【発明の効果】
【０００９】
カバン底部への取付部材に対して回転自在に取り付けられ車軸を固定したフレームと、車軸の両端に回転自在に軸支され内周面にロックピン係合部を複数放射状に形成したキャスターと、フレームに形成したガイド部に沿って出没自在に配置されフレーム表面に露出するロックピン作動部材と、ガイド部に配置されロックピン作動部材をフレーム表面から突出する方向に付勢する復元性を有する弾性部材と、を備え、ロックピン作動部材を復元性を有する弾性部材の付勢力に抗して押し下げてロックピンをキャスター回転フリーの状態とし、ロックピン作動部材を復元性を有する弾性部材の付勢力により押し上げてロックピンをキャスター内周に形成したロックピン係合部と係合させキャスター回転ロック状態とすることで、構造が簡単で部品点数が少なく、組み立てが容易で、確実にカバン用キャスターを回転ロック状態、回転フリー状態にすることが可能となる。
ロックピン作動部材の側面に配置される弾性部材により突出方向に付勢された係合突起と、フレームのガイド部に形成されロックピン作動部材の係合突起と係合しロックピン作動部材をキャスター回転ロック位置に保持する第１係合凹部と、ロックピン作動部材の係合突起と係合しロックピン作動部材をキャスター回転フリー位置に保持する第２係合凹部と、を備えることで、簡単な構成でキャスター回転ロック状態、キャスター回転フリー状態に保持することが可能となる。
ロックピン作動部材にキャスターロック状態を示す色又は文字の表示を配置し、ロックピン作動部材が押し上げられキャスター回転ロック状態の時、前記表示が視認可能で、ロックピン作動部材が押し下げられキャスター回転フリー状態の時前記表示がフレーム内に押し下げられ視認不能にすることで、ユーザーに確実にキャスター回転ロック状態を示すことが可能となる。
【図面の簡単な説明】
【００１０】
【図１】本発明の実施形態を示す図である。
【図２】本発明の実施形態を示す図である。
【図３】（ａ）（ｂ）本発明の実施形態を示す図である。
【図４】本発明の実施形態を示す図である。
【図５】本発明の実施形態を示す図である。
【発明を実施するための形態】
【００１１】
本発明の実施形態を図により説明する。図１は、本発明のカバン用キャスターロック装置の概略図である。
【００１２】
カバン用キャスターロック装置１は、カバン底部２に固定部材３で固定される取付部材４に軸受け５を介して回転自在にフレーム６が連結される。
【００１３】
フレーム６には車軸７が固定され、車軸７の両端にキャスター８が軸受（表示せず）を介して回転自在に軸支される。車軸７をフレームに抜け止めして回転自在に取付け、車軸７の両端にキャスター８を固定しても良い。
【００１４】
図２は、フレーム６に設置されるロックピン作動部材９を示す図である。ロックピン作動部材９には、ロックピン１０が固定される。
【００１５】
フレーム６には、ロックピン作動部材をガイドするガイド部１１が形成され、ロックピン作動部材９が、ガイド部１１に沿って出没自在に配置される。ガイド部１１とロックピン作動部材９の間にコイルスプリング等の復元性を有する弾性部材１２が設置しロックピン作動部材９をフレーム２の外側に突出する方向に付勢する。
【００１６】
図３に示すように、ロックピン作動部材９の側面には、弾性部材により突出方向に付勢された係合突起１４が配置される。また、ロックピン作動部材９の側面の上部には、キャスター回転ロック状態を表示する色彩又は文字からなる表示部１３が配置される。
【００１７】
図４（ａ）は、ロックピン作動部材９がコイルスプリング等の復元性を有する弾性部材１２の付勢力によりフレーム２の外側に突出し、キャスター回転ロック状態とした状態を示す図である。
【００１８】
キャスター回転ロック状態の時のロックピン１０は、図５に示すように、キャスター内周面に複数放射状に形成されたロックピン係合部１５にその両端が係合し、キャスター８の回転をロックする。
【００１９】
図４（ａ）に示すキャスター回転ロック状態の時、ロックピン作動部材９に配置した係合突起１４は、ガイド部１１に形成した第１係合凹部１６と係合し、ロックピン作動部材９をキャスター回転ロックの状態に保持する。
【００２０】
ロックピン作動部材９がフレーム６から突出し、キャスター回転ロック状態の時、ロックピン作動部材９に配置した表示部１３は視認可能でユーザーがキャスター回転ロック状態になったことを確認することができる。
【００２１】
図４（ｂ）は、ロックピン作動部材９をコイルスプリング等の復元性を有する弾性部材１２の付勢力に抗して押し下げキャスター回転フリー状態とした状態を示す図である。
【００２２】
キャスター回転フリーノ状態の時のロックピン１０は、図５に示すように、キャスター内周面に複数放射状に形成されたロックピン係合部１５と離れて位置し、キャスター８の回転をフリーにする。
【００２３】
図４（ｂ）に示すキャスター回転フリーの状態の時、ロックピン作動部材９に配置した係合突起１４は、ガイド部１１に形成した第２係合凹部１７と係合し、ロックピン作動部材９をキャスター回転フリーの状態に保持する。
【００２４】
ロックピン作動部材９が押し下げられ、キャスター回転フリーの状態の時、ロックピン作動部材９に配置した表示部１３はフレーム２内に位置し視認不能になる。
【００２５】
以上のように、本発明のカバン用キャスターロック装置によれば、構造が簡単で部品点数が少なく、組み立てが容易で、確実にカバン用キャスターを回転ロック状態、回転フリー状態にすることが可能となる。
【符号の説明】
【００２６】
１：カバン用キャスターロック装置、２：カバン底部、３：固定部材、４：取付部材、５：軸受け、６：フレーム、７：車軸、８：キャスター、９：ロックピン作動部材、１０：ロックピン、１１：ガイド部、１２：復元性を有する弾性部材、１３：表示部、１４：係合突起、１５：ロックピン係合部、１６：第１係合凹部、１７：第２係合凹部
【図１】
2018113998.tif 000003
【図２】
2018113998.tif 000004
【図３】
2018113998.tif 000005
【図４】
2018113998.tif 000006
【図５】
2018113998.tif 000007